(57)【特許請求の範囲】
【請求項１】
物体側から順に、第１群と、正パワーを有する第２群と、からなり、
前記第１群が、物体側から順に、負パワーを有する第１レンズと、負パワーを有する第２レンズと、正パワーを有する第３レンズと、負パワーを有する第４レンズと、正パワーを有する第５レンズと、を有し、
前記第１レンズと前記第２レンズが物体側に凸のメニスカス形状を有し、
前記第４レンズと前記第５レンズとで接合レンズが構成され、
前記第１群の位置を固定した状態で前記第２群を物体側に移動させることにより、近距離物体へのフォーカシングを行い、
以下の条件式（１），（２），（３ｂ）及び（４）を満足することを特徴とする撮像レンズ；
−０．７＜φ１４／φ＜−０．３  …（１）
０．１＜φ１５／φ＜０．４  …（２）
−２．０９≦φ１４／φ１５＜−１．５  …（３ｂ）
Ｎｄ１５＞１．８  …（４）
ただし、
φ１４：第４レンズのパワー、
φ１５：第５レンズのパワー、
φ：全系のパワー、
Ｎｄ１５：第５レンズのｄ線に関する屈折率、
である。
【請求項２】
物体側から順に、第１群と、正パワーを有する第２群と、からなり、
前記第１群が、物体側から順に、負パワーを有する第１レンズと、負パワーを有する第２レンズと、正パワーを有する第３レンズと、負パワーを有する第４レンズと、正パワーを有する第５レンズと、を有し、
前記第１レンズと前記第２レンズが物体側に凸のメニスカス形状を有し、
前記第４レンズと前記第５レンズとで接合レンズが構成され、
前記第１群の位置を固定した状態で前記第２群を物体側に移動させることにより、近距離物体へのフォーカシングを行い、
以下の条件式（１）〜（３）及び（４ａ）を満足することを特徴とする撮像レンズ；
−０．７＜φ１４／φ＜−０．３  …（１）
０．１＜φ１５／φ＜０．４  …（２）
−３＜φ１４／φ１５＜−１．５  …（３）
Ｎｄ１５≧１．８８３００  …（４ａ）
ただし、
φ１４：第４レンズのパワー、
φ１５：第５レンズのパワー、
φ：全系のパワー、
Ｎｄ１５：第５レンズのｄ線に関する屈折率、
である。
【請求項３】
物体側から順に、第１群と、正パワーを有する第２群と、からなり、
前記第１群が、物体側から順に、負パワーを有する第１レンズと、負パワーを有する第２レンズと、正パワーを有する第３レンズと、負パワーを有する第４レンズと、正パワーを有する第５レンズと、を有し、
前記第１レンズと前記第２レンズが物体側に凸のメニスカス形状を有し、
前記第４レンズと前記第５レンズとで接合レンズが構成され、
前記第１群の位置を固定した状態で前記第２群を物体側に移動させることにより、近距離物体へのフォーカシングを行い、
以下の条件式（１）〜（４）及び（６ａ）を満足することを特徴とする撮像レンズ；
−０．７＜φ１４／φ＜−０．３  …（１）
０．１＜φ１５／φ＜０．４  …（２）
−３＜φ１４／φ１５＜−１．５  …（３）
Ｎｄ１５＞１．８  …（４）
Ｎｄ１３≧１．８４６６６  …（６ａ）
ただし、
φ１４：第４レンズのパワー、
φ１５：第５レンズのパワー、
φ：全系のパワー、
Ｎｄ１５：第５レンズのｄ線に関する屈折率、
Ｎｄ１３：第３レンズのｄ線に関する屈折率、
である。
【請求項４】
物体側から順に、第１群と、正パワーを有する第２群と、からなり、
前記第１群が、物体側から順に、負パワーを有する第１レンズと、負パワーを有する第２レンズと、正パワーを有する第３レンズと、負パワーを有する第４レンズと、正パワーを有する第５レンズと、を有し、
前記第１レンズと前記第２レンズが物体側に凸のメニスカス形状を有し、
前記第４レンズと前記第５レンズとで接合レンズが構成され、
前記第１群の位置を固定した状態で前記第２群を物体側に移動させることにより、近距離物体へのフォーカシングを行い、
以下の条件式（１），（２）及び（３ｃ）を満足することを特徴とする撮像レンズ；
−０．７＜φ１４／φ＜−０．３  …（１）
０．１＜φ１５／φ＜０．４  …（２）
−２．０９≦φ１４／φ１５≦−１．７７  …（３ｃ）
ただし、
φ１４：第４レンズのパワー、
φ１５：第５レンズのパワー、
φ：全系のパワー、
である。
【請求項５】
前記第１群において最も像側に位置するレンズが正パワーを有することを特徴とする請求項１〜４のいずれか１項に記載の撮像レンズ。
【請求項６】
絞りの物体側に隣り合って位置するレンズが以下の条件式（５）を満足することを特徴とする請求項１〜５のいずれか１項に記載の撮像レンズ；
θｇｆ−（−０．００１６２νｄ＋０．６４１５）＜０．０１２  …（５）
ただし、
θｇｆ：レンズ材料の部分分散比、
θｇｆ＝（Ｎｇ−ＮＦ）／（ＮＦ−ＮＣ）
Ｎｇ：ｇ線に関する屈折率、
ＮＦ：Ｆ線に関する屈折率、
ＮＣ：Ｃ線に関する屈折率、
νｄ：レンズ材料のｄ線に関するアッべ数、
である。
【請求項７】
前記第１群が正パワーを有することを特徴とする請求項１〜６のいずれか１項に記載の撮像レンズ。
【請求項８】
前記第２群が物体側から連続して２枚以上の正レンズを有することを特徴とする請求項１〜７のいずれか１項に記載の撮像レンズ。
【請求項９】
前記第２群が、物体側から順に、正レンズ，正レンズ，正レンズ，負レンズ，絞り，負レンズ，正レンズ，正レンズ及び正レンズを有することを特徴とする請求項１〜８のいずれか１項に記載の撮像レンズ。
【請求項１０】
非球面レンズを３枚以上有することを特徴とする請求項１〜９のいずれか１項に記載の撮像レンズ。
【請求項１１】
請求項１〜１０のいずれか１項に記載の撮像レンズと、撮像面上に形成された光学像を電気的な信号に変換する撮像素子と、を備え、前記撮像素子の撮像面上に被写体の光学像が形成されるように前記撮像レンズが設けられていることを特徴とする撮像光学装置。
【請求項１２】
請求項１１記載の撮像光学装置を備えることにより、被写体の静止画撮影，動画撮影のうちの少なくとも一方の機能が付加されたことを特徴とするデジタル機器。
【発明の詳細な説明】
【技術分野】
【０００１】
本発明は撮像レンズ，撮像光学装置及びデジタル機器に関するものであり、例えば、被写体の映像を撮像素子（例えば、ＣＣＤ(Charge Coupled Device)型イメージセンサー，ＣＭＯＳ(Complementary Metal-Oxide Semiconductor)型イメージセンサー等の固体撮像素子）で取り込むレンズ交換式デジタルカメラに適したコンパクトで広角・大口径の撮像レンズと、その撮像レンズ及び撮像素子で取り込んだ被写体の映像を電気的な信号として出力する撮像光学装置と、その撮像光学装置を搭載したデジタルカメラ等の画像入力機能付きデジタル機器と、に関するものである。
【背景技術】
【０００２】
近年、レンズ交換式カメラとしてデジタルカメラが一般的になっている。デジタルカメラでは、ユーザーがモニターで等倍の撮影画像を見ることが可能であるため、ＭＴＦ(Modulation Transfer Function)性能の向上や色収差の低減がより一層求められるようになってきている。しかも、撮影領域の拡大への要求から、撮影全画角２ω：６５度以上に広角化されていながら、Ｆ値：２以下の大口径の広角レンズが求められている。こういった要求に応えるため、レンズ交換式デジタルカメラ用の交換レンズとしての撮像レンズが、特許文献１で提案されている。
【先行技術文献】
【特許文献】
【０００３】
【特許文献１】特開平０５−０３４５９２号公報
【発明の概要】
【発明が解決しようとする課題】
【０００４】
特許文献１で提案されている撮像レンズは、広い画角を実現する一方で、歪曲収差をはじめとする諸収差の補正が不足しており、Ｆ値も２．８程度である。
【０００５】
本発明はこのような状況に鑑みてなされたものであって、その目的は、撮影全画角２ω：６５度を超える広い画角と明るいＦ値を実現しながら歪曲収差を抑え、画像全体で均一な画質が得られる小型の撮像レンズ，それを備えた撮像光学装置及びデジタル機器を提供することにある。
【課題を解決するための手段】
【０００６】
上記目的を達成するために、第１の発明の撮像レンズは、物体側から順に、第１群と、正パワーを有する第２群と、からなり、
前記第１群が、物体側から順に、負パワーを有する第１レンズと、負パワーを有する第２レンズと、正パワーを有する第３レンズと、負パワーを有する第４レンズと、正パワーを有する第５レンズと、を有し、
前記第１レンズと前記第２レンズが物体側に凸のメニスカス形状を有し、
前記第４レンズと前記第５レンズとで接合レンズが構成され、
前記第１群の位置を固定した状態で前記第２群を物体側に移動させることにより、近距離物体へのフォーカシングを行い、
以下の条件式（１），（２），（３ｂ）及び（４）を満足することを特徴とする。
−０．７＜φ１４／φ＜−０．３  …（１）
０．１＜φ１５／φ＜０．４  …（２）
−２．０９≦φ１４／φ１５＜−１．５  …（３ｂ）
Ｎｄ１５＞１．８  …（４）
ただし、
φ１４：第４レンズのパワー、
φ１５：第５レンズのパワー、
φ：全系のパワー、
Ｎｄ１５：第５レンズのｄ線に関する屈折率、
である。
【０００７】
第２の発明の撮像レンズは、物体側から順に、第１群と、正パワーを有する第２群と、からなり、
前記第１群が、物体側から順に、負パワーを有する第１レンズと、負パワーを有する第２レンズと、正パワーを有する第３レンズと、負パワーを有する第４レンズと、正パワーを有する第５レンズと、を有し、
前記第１レンズと前記第２レンズが物体側に凸のメニスカス形状を有し、
前記第４レンズと前記第５レンズとで接合レンズが構成され、
前記第１群の位置を固定した状態で前記第２群を物体側に移動させることにより、近距離物体へのフォーカシングを行い、
以下の条件式（１）〜（３）及び（４ａ）を満足することを特徴とする。
−０．７＜φ１４／φ＜−０．３  …（１）
０．１＜φ１５／φ＜０．４  …（２）
−３＜φ１４／φ１５＜−１．５  …（３）
Ｎｄ１５≧１．８８３００  …（４ａ）
ただし、
φ１４：第４レンズのパワー、
φ１５：第５レンズのパワー、
φ：全系のパワー、
Ｎｄ１５：第５レンズのｄ線に関する屈折率、
である。
【０００８】
第３の発明の撮像レンズは、物体側から順に、第１群と、正パワーを有する第２群と、からなり、
前記第１群が、物体側から順に、負パワーを有する第１レンズと、負パワーを有する第２レンズと、正パワーを有する第３レンズと、負パワーを有する第４レンズと、正パワーを有する第５レンズと、を有し、
前記第１レンズと前記第２レンズが物体側に凸のメニスカス形状を有し、
前記第４レンズと前記第５レンズとで接合レンズが構成され、
前記第１群の位置を固定した状態で前記第２群を物体側に移動させることにより、近距離物体へのフォーカシングを行い、
以下の条件式（１）〜（４）及び（６ａ）を満足することを特徴とする。
−０．７＜φ１４／φ＜−０．３  …（１）
０．１＜φ１５／φ＜０．４  …（２）
−３＜φ１４／φ１５＜−１．５  …（３）
Ｎｄ１５＞１．８  …（４）
Ｎｄ１３≧１．８４６６６  …（６ａ）
ただし、
φ１４：第４レンズのパワー、
φ１５：第５レンズのパワー、
φ：全系のパワー、
Ｎｄ１５：第５レンズのｄ線に関する屈折率、
Ｎｄ１３：第３レンズのｄ線に関する屈折率、
である。
【０００９】
第４の発明の撮像レンズは、物体側から順に、第１群と、正パワーを有する第２群と、からなり、
前記第１群が、物体側から順に、負パワーを有する第１レンズと、負パワーを有する第２レンズと、正パワーを有する第３レンズと、負パワーを有する第４レンズと、正パワーを有する第５レンズと、を有し、
前記第１レンズと前記第２レンズが物体側に凸のメニスカス形状を有し、
前記第４レンズと前記第５レンズとで接合レンズが構成され、
前記第１群の位置を固定した状態で前記第２群を物体側に移動させることにより、近距離物体へのフォーカシングを行い、
以下の条件式（１），（２）及び（３ｃ）を満足することを特徴とする。
−０．７＜φ１４／φ＜−０．３  …（１）
０．１＜φ１５／φ＜０．４  …（２）
−２．０９≦φ１４／φ１５≦−１．７７  …（３ｃ）
ただし、
φ１４：第４レンズのパワー、
φ１５：第５レンズのパワー、
φ：全系のパワー、
である。
【００１０】
第５の発明の撮像レンズは、上記第１〜第４のいずれか１つの発明において、前記第１群において最も像側に位置するレンズが正パワーを有することを特徴とする。
【００１１】
第６の発明の撮像レンズは、上記第１〜第５のいずれか１つの発明において、絞りの物体側に隣り合って位置するレンズが以下の条件式（５）を満足することを特徴とする。
θｇｆ−（−０．００１６２νｄ＋０．６４１５）＜０．０１２  …（５）
ただし、
θｇｆ：レンズ材料の部分分散比、
θｇｆ＝（Ｎｇ−ＮＦ）／（ＮＦ−ＮＣ）
Ｎｇ：ｇ線に関する屈折率、
ＮＦ：Ｆ線に関する屈折率、
ＮＣ：Ｃ線に関する屈折率、
νｄ：レンズ材料のｄ線に関するアッべ数、
である。
【００１２】
第７の発明の撮像レンズは、上記第１〜第６のいずれか１つの発明において、前記第１群が正パワーを有することを特徴とする。
【００１３】
第８の発明の撮像レンズは、上記第１〜第７のいずれか１つの発明において、前記第２群が物体側から連続して２枚以上の正レンズを有することを特徴とする。
【００１４】
第９の発明の撮像レンズは、上記第１〜第８のいずれか１つの発明において、前記第２群が、物体側から順に、正レンズ，正レンズ，正レンズ，負レンズ，絞り，負レンズ，正レンズ，正レンズ及び正レンズを有することを特徴とする。
【００１５】
第１０の発明の撮像レンズは、上記第１〜第９のいずれか１つの発明において、非球面レンズを３枚以上有することを特徴とする。
【００１６】
第１１の発明の撮像光学装置は、上記第１〜第１０のいずれか１つの発明に係る撮像レンズと、撮像面上に形成された光学像を電気的な信号に変換する撮像素子と、を備え、前記撮像素子の撮像面上に被写体の光学像が形成されるように前記撮像レンズが設けられていることを特徴とする。
【００１７】
第１２の発明のデジタル機器は、上記第１１の発明に係る撮像光学装置を備えることにより、被写体の静止画撮影，動画撮影のうちの少なくとも一方の機能が付加されたことを特徴とする。
【発明の効果】
【００１８】
本発明によれば、撮影全画角２ω：６５度を超える広い画角と明るいＦ値を実現しながら歪曲収差を抑え、画像全体で均一な画質が得られる小型の撮像レンズ及び撮像光学装置を実現することができる。その撮像レンズ又は撮像光学装置をデジタル機器（例えばデジタルカメラ）に用いることによって、デジタル機器に対して高性能の画像入力機能をコンパクトに付加することが可能となる。
【図面の簡単な説明】
【００１９】
【図１】第１の実施の形態（実施例１）のレンズ構成図。
【図２】第２の実施の形態（実施例２）のレンズ構成図。
【図３】第３の実施の形態（実施例３）のレンズ構成図。
【図４】第４の実施の形態（実施例４）のレンズ構成図。
【図５】実施例１の縦収差図。
【図６】実施例２の縦収差図。
【図７】実施例３の縦収差図。
【図８】実施例４の縦収差図。
【図９】実施例１の第１フォーカスポジションでの横収差図。
【図１０】実施例１の第２フォーカスポジションでの横収差図。
【図１１】実施例２の第１フォーカスポジションでの横収差図。
【図１２】実施例２の第２フォーカスポジションでの横収差図。
【図１３】実施例３の第１フォーカスポジションでの横収差図。
【図１４】実施例３の第２フォーカスポジションでの横収差図。
【図１５】実施例４の第１フォーカスポジションでの横収差図。
【図１６】実施例４の第２フォーカスポジションでの横収差図。
【図１７】撮像光学装置を搭載したデジタル機器の概略構成例を示す模式図。
【発明を実施するための形態】
【００２０】
以下、本発明の実施の形態に係る撮像レンズ，撮像光学装置及びデジタル機器を説明する。本発明の実施の形態に係る撮像レンズは、物体側から順に、第１群と、正パワーを有する第２群と、からなり（パワー：焦点距離の逆数で定義される量）、前記第１群が、物体側から順に、負パワーを有する第１レンズと、負パワーを有する第２レンズと、正パワーを有する第３レンズと、負パワーを有する第４レンズと、正パワーを有する第５レンズと、を有している。そして、前記第１レンズと前記第２レンズが物体側に凸のメニスカス形状を有し、前記第４レンズと前記第５レンズとで接合レンズが構成され、前記第１群の位置を固定した状態で前記第２群を物体側に移動させることにより、近距離物体へのフォーカシングを行う構成になっている。
【００２１】
また、上記撮像レンズは以下の条件式（１）〜（３）を満足することを特徴としている。
−０．７＜φ１４／φ＜−０．３  …（１）
０．１＜φ１５／φ＜０．４  …（２）
−３＜φ１４／φ１５＜−１．５  …（３）
ただし、
φ１４：第４レンズのパワー（つまり、第１群を構成する第４レンズの焦点距離ｆ１４の逆数）、
φ１５：第５レンズのパワー（つまり、第１群を構成する第５レンズの焦点距離ｆ１５の逆数）、
φ：全系のパワー（つまり、全系の合成焦点距離ｆの逆数）、
である。
【００２２】
第１群では、物体側から順に第１レンズと第２レンズに負パワーを持たせることで、それぞれのパワーを弱めることができ、歪曲収差に代表される諸収差を低減することができる。しかも、第１，第２レンズの形状を両方とも物体側に凸面を向けたメニスカス形状とすることにより、広い画角から入射する光線を緩やかに曲げて像面湾曲やコマ収差の発生を防止し、第１レンズと第２レンズで発生した負の歪曲を正パワーの第３レンズで適度に補正することができる。
【００２３】
第４レンズと第５レンズを負正の接合レンズとし、条件式（１）〜（３）を満たす適切なパワー配置とすることで、球面収差・像面湾曲の発生を小さくして、設計性能だけでなく、最終的な製品性能をも良好にすることができる。なお、光軸上の厚さが１ｍｍ以下の樹脂層は、上記接合レンズを構成するものではない。したがって、レンズを形成する材料として樹脂が芯厚１ｍｍ以下でレンズ面に形成されたレンズ（例えば、複合型非球面レンズ）は、接合レンズではなく１枚のレンズとして考えるものとする。
【００２４】
条件式（１）は、第４レンズのパワーに関する好ましい条件範囲を規定している。条件式（１）の下限を上回ると、負のパワーが強くなり過ぎず、全長が増大するのを防止することができる。一方、条件式（１）の上限を下回ると、負のパワーが弱くなり過ぎず、像面湾曲，軸上色収差等の諸収差を良好に補正することができる。
【００２５】
条件式（２）は、第５レンズのパワーに関する好ましい条件範囲を規定している。条件式（２）の下限を上回ると、正のパワーが弱くなり過ぎず、第１群をアフォーカルな光学系に近づけることができるため、近距離物体へのフォーカス時に収差の変動を抑えることができる。また、全長が増大するのを防止することができる。一方、条件式（２）の上限を下回ると、正のパワーが強くなり過ぎず、球面収差をはじめ諸収差の発生を防止することができる。
【００２６】
条件式（３）は、条件式（１）と条件式（２）で規定されるパワーを、第１群における第４レンズと第５レンズとのパワー比で最適化している。条件式（３）の下限を上回ると、正レンズに対して負レンズのパワーが強くなり過ぎず、歪曲収差が大きくなりすぎるのを防止することができる。条件式（３）の上限を下回ると、正レンズに対して負レンズのパワーが弱くなり過ぎず、像面湾曲，軸上色収差等の諸収差を良好に補正することができる。
【００２７】
条件式（１）〜（３）を満たすように第４レンズと第５レンズのパワー配置を設定すると、収差の改善とともに広い画角を有しながら画像全体で均一な画質と明るいＦ値を実現することができる。しかし、それぞれのレンズが偏芯した際に、収差の発生、特に軸上でのコマ収差の発生が顕著になり、本来の性能を発揮することが困難になるおそれがある。この問題を解消するため、第４レンズと第５レンズとで接合レンズを構成している。第４，第５レンズを接合レンズにすれば、レンズの偏芯に起因する問題は生じないため、設計性能だけでなく、最終的な製品性能をも改善することができる。
【００２８】
つまり上記特徴的構成によると、撮影全画角２ω：６５度を超える広い画角と明るいＦ値を実現しながら歪曲収差等の諸収差を抑え、画像全体で均一な画質が得られる小型の撮像レンズ及びそれを備えた撮像光学装置を実現することができる。その撮像レンズ又は撮像光学装置をデジタル機器（例えばデジタルカメラ）に用いることによって、デジタル機器に対して高性能の画像入力機能を軽量・コンパクトに付加することが可能となり、デジタル機器のコンパクト化，低コスト化，高性能化，高機能化等に寄与することができる。例えば、上記特徴的構成を有する撮像レンズは、デジタルカメラ用・ビデオカメラ用の交換レンズとして好適であるため、持ち運びに便利な軽量・小型で高性能な交換レンズを実現することができる。こういった効果をバランス良く得るとともに、更に高い光学性能，軽量・小型化等を達成するための条件等を以下に説明する。
【００２９】
前記第４レンズに関しては、以下の条件式（１ａ）を満たすことが望ましく、条件式（１ｂ）を満たすことが更に望ましい。
−０．６＜φ１４／φ＜−０．３  …（１ａ）
−０．５５＜φ１４／φ＜−０．３５  …（１ｂ）
これらの条件式（１ａ），（１ｂ）は、前記条件式（１）が規定している条件範囲のなかでも、前記観点等に基づいた更に好ましい条件範囲を規定している。したがって、好ましくは条件式（１ａ）、更に好ましくは条件式（１ｂ）を満たすことにより、上記効果をより一層大きくすることができる。
【００３０】
前記第５レンズに関しては、以下の条件式（２ａ）を満たすことが望ましく、条件式（２ｂ）を満たすことが更に望ましい。
０．２＜φ１５／φ＜０．４  …（２ａ）
０．２＜φ１５／φ＜０．３  …（２ｂ）
これらの条件式（２ａ），（２ｂ）は、前記条件式（２）が規定している条件範囲のなかでも、前記観点等に基づいた更に好ましい条件範囲を規定している。したがって、好ましくは条件式（２ａ）、更に好ましくは条件式（２ｂ）を満たすことにより、上記効果をより一層大きくすることができる。
【００３１】
前記第４，第５レンズに関しては、以下の条件式（３ａ），（３ｂ）又は（３ｃ）を満足することが望ましい。
−３＜φ１４／φ１５＜−２  …（３ａ）
−２．０９≦φ１４／φ１５＜−１．５  …（３ｂ）
−２．０９≦φ１４／φ１５≦−１．７７  …（３ｃ）
これらの条件式（３ａ），（３ｂ）及び（３ｃ）は、前記条件式（３）が規定している条件範囲のなかでも、前記観点等に基づいた更に好ましい条件範囲を規定している。したがって、好ましくは条件式（３ａ），（３ｂ）又は（３ｃ）を満たすことにより、上記効果をより一層大きくすることができる。
【００３２】
前記第４，第５レンズからなる接合レンズは、負の合成パワーを有することが望ましい。負パワーの第４レンズと正パワーの第５レンズを接合レンズとし、その接合レンズに負パワーを持たせると、像面湾曲の補正が可能となるため、画面周辺まで良好な画像を得ることができる。
【００３３】
前記第５レンズに関しては、以下の条件式（４）又は（４ａ）を満足することが望ましい。
Ｎｄ１５＞１．８  …（４）
Ｎｄ１５≧１．８８３００  …（４ａ）
ただし、
Ｎｄ１５：前記第１群の第５レンズのｄ線に関する屈折率、
である。
【００３４】
第１群において接合レンズを構成する第５レンズが条件式（４）又は（４ａ）を満足することで、そのレンズ面の曲率を小さくすること（つまり曲率を緩くすること）ができ、球面収差の発生を効果的に低減することができる。また、接合面の曲率を小さくすることが可能となるため接合が容易になり、また信頼性が向上するというメリットもある。
【００３５】
前記第１群において最も像側に位置するレンズは、正パワーを有することが望ましい。第１群における最も像側のレンズに正パワーを持たせると、第２群への光線入射高さを低減することができるため、フォーカス群の小型化が可能となる。また、第１群をアフォーカルな光学系に近づけることができるため、近距離物体へのフォーカス時に収差の変動を抑えることができる。
【００３６】
絞りの物体側に隣り合って位置するレンズは、以下の条件式（５）を満足することが望ましい。
θｇｆ−（−０．００１６２νｄ＋０．６４１５）＜０．０１２  …（５）
ただし、
θｇｆ：レンズ材料の部分分散比、
θｇｆ＝（Ｎｇ−ＮＦ）／（ＮＦ−ＮＣ）
Ｎｇ：ｇ線に関する屈折率、
ＮＦ：Ｆ線に関する屈折率、
ＮＣ：Ｃ線に関する屈折率、
νｄ：レンズ材料のｄ線に関するアッべ数、
である。
【００３７】
条件式（５）は、絞りの物体側に隣り合って位置するレンズの部分分散比に関する好ましい範囲を規定している。この構成によると、軸上色収差を低減して、色にじみの発生を防止することができる。
【００３８】
絞りの物体側に隣り合って位置するレンズは、以下の条件式（５ａ）を満たすことが望ましく、条件式（５ｂ）を満たすことが更に望ましい。
θｇｆ−（−０．００１６２νｄ＋０．６４１５）＜０．００６  …（５ａ）
θｇｆ−（−０．００１６２νｄ＋０．６４１５）＜０．００３  …（５ｂ）
これらの条件式（５ａ），（５ｂ）は、前記条件式（５）が規定している条件範囲のなかでも、前記観点等に基づいた更に好ましい条件範囲を規定している。したがって、好ましくは条件式（５ａ）、更に好ましくは条件式（５ｂ）を満たすことにより、上記効果をより一層大きくすることができる。
【００３９】
前記第１群は、正パワーを有することが望ましい。第１群に正パワーを持たせることにより、全長を短縮することができる。
【００４０】
前記第３レンズに関しては、以下の条件式（６）又は（６ａ）を満足することが望ましい。
Ｎｄ１３＞１．８  …（６）
Ｎｄ１３≧１．８４６６６  …（６ａ）
ただし、
Ｎｄ１３：前記第１群の第３レンズのｄ線に関する屈折率、
である。
【００４１】
負パワーを有する第１レンズと第２レンズで発生した歪曲収差を補正するため、第３レンズには強い曲率（つまり絶対値の大きい曲率）を持たせたいが、第１群における第３レンズが条件式（６）又は（６ａ）を満足することで、そのレンズ面の曲率を緩くすること（つまり曲率の絶対値を小さくすること）が可能となる。したがって、球面収差の発生を効果的に低減することができる。
【００４２】
前記第２群は、物体側から連続して２枚以上の正レンズを有することが望ましい。この構成によると、正パワーを２枚以上のレンズで負担することによって、第２群に入射した光線を緩やかに曲げることができ、球面収差をはじめとする諸収差の発生を効果的に低減することができる。
【００４３】
前記第２群は、物体側から順に、正レンズ，正レンズ，正レンズ，負レンズ，絞り，負レンズ，正レンズ，正レンズ及び正レンズを有することが望ましい。この構成によると、第２群を構成するレンズのパワー配置が絞りを挟んで対称になるため、コマ収差，歪曲収差，倍率色収差等の発生を低減することができる。
【００４４】
非球面レンズを３枚以上有することが望ましい。前述した特徴的構成を有する撮像レンズが非球面レンズを３枚以上有することにより、各非球面レンズで特定の収差補正に特化することが可能となり、諸収差の補正をより効果的に行うことができる。例えば、第１群において物体側から１枚目乃至３枚目に非球面レンズを配した場合、特に歪曲収差と湾曲収差を効果的に補正することができる。絞りから１枚目乃至３枚目に非球面レンズを配した場合、特に球面収差を効果的に補正することができる。像側から１枚目乃至３枚目に非球面レンズを配した場合、特にコマ収差と湾曲収差を効果的に補正することができる。
【００４５】
以上説明した撮像レンズは、画像入力機能付きデジタル機器（例えば、レンズ交換式デジタルカメラ）用の撮像レンズとしての使用に適しており、これを撮像素子等と組み合わせることにより、被写体の映像を光学的に取り込んで電気的な信号として出力する撮像光学装置を構成することができる。撮像光学装置は、被写体の静止画撮影や動画撮影に用いられるカメラの主たる構成要素を成す光学装置であり、例えば、物体（すなわち被写体）側から順に、物体の光学像を形成する撮像レンズと、その撮像レンズにより形成された光学像を電気的な信号に変換する撮像素子（イメージセンサー）と、を備えることにより構成される。そして、撮像素子の受光面（すなわち撮像面）上に被写体の光学像が形成されるように、前述した特徴的構成を有する撮像レンズが配置されることにより、小型・低コストで高い性能を有する撮像光学装置やそれを備えたデジタル機器を実現することができる。
【００４６】
画像入力機能付きデジタル機器の例としては、デジタルカメラ，ビデオカメラ，監視カメラ，防犯カメラ，車載カメラ，テレビ電話用カメラ等のカメラが挙げられる。また、パーソナルコンピューター，携帯用デジタル機器（例えば、携帯電話，スマートフォン（高機能携帯電話），タブレット端末，モバイルコンピューター等），これらの周辺機器（スキャナー，プリンター，マウス等），その他のデジタル機器（ドライブレコーダー，防衛機器等）等に内蔵又は外付けによりカメラ機能が搭載されたものが挙げられる。これらの例から分かるように、撮像光学装置を用いることによりカメラを構成することができるだけでなく、各種機器に撮像光学装置を搭載することによりカメラ機能を付加することが可能である。例えば、カメラ付き携帯電話等の画像入力機能付きデジタル機器を構成することが可能である。
【００４７】
図１７に、画像入力機能付きデジタル機器の一例として、デジタル機器ＤＵの概略構成例を模式的断面で示す。図１７に示すデジタル機器ＤＵに搭載されている撮像光学装置ＬＵは、物体（すなわち被写体）側から順に、物体の光学像（像面）ＩＭを形成する撮像レンズＬＮ（ＡＸ：光軸）と、撮像レンズＬＮにより受光面（撮像面）ＳＳ上に形成された光学像ＩＭを電気的な信号に変換する撮像素子ＳＲと、を備えており、必要に応じて平行平面板（例えば、撮像素子ＳＲのカバーガラス；必要に応じて配置される光学的ローパスフィルター，赤外カットフィルター等の光学フィルター等に相当する。）も配置される。
【００４８】
この撮像光学装置ＬＵで画像入力機能付きデジタル機器ＤＵを構成する場合、通常そのボディ内部に撮像光学装置ＬＵを配置することになるが、カメラ機能を実現する際には必要に応じた形態を採用することが可能である。例えば、ユニット化した撮像光学装置ＬＵをデジタル機器ＤＵの本体に対して回動可能に構成してもよく、ユニット化した撮像光学装置ＬＵをイメージセンサー付き交換レンズとして、デジタル機器ＤＵ（つまり、レンズ交換式カメラ）の本体に対して着脱可能に構成してもよい。
【００４９】
撮像レンズＬＮは、２群構成の広角レンズであり、第１群の位置を固定した状態（つまり、像面ＩＭに対して位置固定した状態）で正パワーの第２群を光軸ＡＸに沿って物体側に移動させることにより、近距離物体へのフォーカシングを行い、撮像素子ＳＲの受光面ＳＳ上に光学像ＩＭを形成する構成になっている。撮像素子ＳＲとしては、例えば複数の画素を有するＣＣＤ型イメージセンサー，ＣＭＯＳ型イメージセンサー等の固体撮像素子が用いられる。撮像レンズＬＮは、撮像素子ＳＲの光電変換部である受光面ＳＳ上に被写体の光学像ＩＭが形成されるように設けられているので、撮像レンズＬＮによって形成された光学像ＩＭは、撮像素子ＳＲによって電気的な信号に変換される。
【００５０】
デジタル機器ＤＵは、撮像光学装置ＬＵの他に、信号処理部１，制御部２，メモリー３，操作部４，表示部５等を備えている。撮像素子ＳＲで生成した信号は、信号処理部１で所定のデジタル画像処理や画像圧縮処理等が必要に応じて施され、デジタル映像信号としてメモリー３（半導体メモリー，光ディスク等）に記録されたり、場合によってはケーブルを介したり赤外線信号等に変換されたりして他の機器に伝送される（例えば携帯電話の通信機能）。制御部２はマイクロコンピューターからなっており、撮影機能（静止画撮影機能，動画撮影機能等），画像再生機能等の機能の制御；フォーカシング，手ぶれ補正等のためのレンズ移動機構の制御等を集中的に行う。例えば、被写体の静止画撮影，動画撮影のうちの少なくとも一方を行うように、制御部２により撮像光学装置ＬＵに対する制御が行われる。表示部５は液晶モニター等のディスプレイを含む部分であり、撮像素子ＳＲによって変換された画像信号あるいはメモリー３に記録されている画像情報を用いて画像表示を行う。操作部４は、操作ボタン（例えばレリーズボタン），操作ダイヤル（例えば撮影モードダイヤル）等の操作部材を含む部分であり、操作者が操作入力した情報を制御部２に伝達する。
【００５１】
次に、撮像レンズＬＮの第１〜第４の実施の形態を挙げて、その具体的な光学構成を更に詳しく説明する。図１〜図４は、第１〜第４の実施の形態を構成する撮像レンズＬＮにそれぞれ対応するレンズ構成図であり、第１フォーカスポジションＰＯＳ１（被写体無限遠状態）でのレンズ配置を光学断面で示している。第１〜第４の実施の形態は、物体側から順に、正パワーの第１群Ｇｒ１と、正パワーの第２群Ｇｒ２と、からなる正正の２群構成になっており、コンパクトで広角・大口径の交換レンズ（焦点距離２８ｍｍ，Ｆ１．４クラス）として好適な構成になっている。図１〜図４において、Ｌ１＃（＃＝１，２，…，６）は第１群Ｇｒ１において物体側から＃番目のレンズであり、Ｌ２＃（＃＝１，２，…，８）は第２群Ｇｒ２において物体側から＃番目のレンズである。
【００５２】
第１〜第４の実施の形態では、近距離物体へのフォーカシングに際して、第１群Ｇｒ１が像面ＩＭに対して位置固定であり、第２群Ｇｒ２が光軸ＡＸに沿って物体側に移動する。つまり、フォーカス群である第２群Ｇｒ２が、無限遠から近距離へのフォーカシングにおいて第１フォーカスポジションＰＯＳ１から第２フォーカスポジションＰＯＳ２（被写体近距離状態）へと、矢印ｍＦで示すように物体側へ移動する。また、第３の実施の形態では、第２群Ｇｒ２を絞りＳＴの位置で前群と後群とに分割し、互いに異なる移動量で物体側に繰り出すこと（いわゆるフローティングを行うこと）が望ましい。これにより、撮影距離の変動により生じる像面湾曲を補正することが可能となって、最短撮影距離の画質がより一層改善される。このとき絞りＳＴは、鏡筒の構成やレンズとの間隔に配慮して、前群と一体で移動してもよく、後群と一体で移動してもよい。
【００５３】
第１〜第４の実施の形態において、第１群Ｇｒ１は、物体側から順に、負パワーの第１レンズＬ１１と、負パワーの第２レンズＬ１２と、正パワーの第３レンズＬ１３と、負パワーの第４レンズＬ１４と、正パワーの第５レンズＬ１５と、正パワーの第６レンズＬ１６と、で構成されている。第１レンズＬ１１と第２レンズＬ１２は物体側に凸のメニスカス形状を有しており、第４レンズＬ１４と第５レンズＬ１５とで負パワーの接合レンズＬＳが構成されている。そして、第４レンズＬ１４と第５レンズＬ１５のパワー、更にはその合成パワー（接合レンズＬＳのパワー）等を適切に設定することにより、良好な収差補正を可能としている。また、第６レンズＬ１６の正パワーにより、第２群Ｇｒ２の小型化とフォーカス性能の向上を可能としている。
【００５４】
第１の実施の形態において、第２群Ｇｒ２は、物体側から順に、正レンズＬ２１と、正レンズＬ２２と、正レンズＬ２３と、負レンズＬ２４と、絞りＳＴと、負レンズＬ２５と、正レンズＬ２６と、正レンズＬ２７と、正レンズＬ２８と、で構成されている。第２〜第４の実施の形態において、第２群Ｇｒ２は、物体側から順に、正レンズＬ２１と、正レンズＬ２２と、負レンズＬ２３と、絞りＳＴと、負レンズＬ２４と、正レンズＬ２５と、正レンズＬ２６と、正レンズＬ２７と、で構成されている。第１〜第４の実施の形態において絞り（開口絞り）ＳＴは第２群Ｇｒ２内に設けられており、絞りＳＴの物体側に隣り合って位置するレンズは、第１の実施の形態では負レンズＬ２４であり、第２〜第４の実施の形態では負レンズＬ２３である。絞りＳＴの物体側に隣り合って位置するレンズに関して、その部分分散比を所定の範囲に設定すれば、軸上色収差を低減して色にじみの発生を防止することが可能である。
【００５５】
第１の実施の形態の撮像レンズＬＮ（図１）において、各レンズ群は物体側から順に以下のように構成されている。第１群Ｇｒ１は、物体側に凸の負メニスカスレンズＬ１１と、物体側に凸の負メニスカスレンズＬ１２からなる複合型非球面レンズ（像側面が非球面）と、両凸の正レンズＬ１３と、両凹の負レンズＬ１４及び両凸の正レンズＬ１５からなる負の接合レンズＬＳと、両凸の正レンズＬ１６と、で構成されている（パワー配置：負負正負正正）。第２群Ｇｒ２は、物体側に凸の正メニスカスレンズＬ２１と、両凸の正レンズＬ２２と、両凸の正レンズＬ２３及び両凹の負レンズＬ２４からなる接合レンズと、絞りＳＴと、両凹の負レンズＬ２５及び両凸の正レンズＬ２６（像側面が非球面）からなる接合レンズと、両凸の正レンズＬ２７と、像側に凸の正メニスカスレンズＬ２８（両面が非球面）と、で構成されている（パワー配置：正正正負・ＳＴ・負正正正）。
【００５６】
第２の実施の形態の撮像レンズＬＮ（図２）において、各レンズ群は物体側から順に以下のように構成されている。第１群Ｇｒ１は、物体側に凸の負メニスカスレンズＬ１１と、物体側に凸の負メニスカスレンズＬ１２からなる複合型非球面レンズ（像側面が非球面）と、像側に凸の正メニスカスレンズＬ１３と、両凹の負レンズＬ１４及び物体側に凸の正メニスカスレンズＬ１５からなる負の接合レンズＬＳと、両凸の正レンズＬ１６と、で構成されている（パワー配置：負負正負正正）。第２群Ｇｒ２は、両凸の正レンズＬ２１と、両凸の正レンズＬ２２及び両凹の負レンズＬ２３からなる接合レンズと、絞りＳＴと、両凹の負レンズＬ２４及び両凸の正レンズＬ２５（像側面が非球面）からなる接合レンズと、両凸の正レンズＬ２６と、像側に凸の正メニスカスレンズＬ２７（両面が非球面）と、で構成されている（パワー配置：正正負・ＳＴ・負正正正）。
【００５７】
第３の実施の形態の撮像レンズＬＮ（図３）において、各レンズ群は物体側から順に以下のように構成されている。第１群Ｇｒ１は、物体側に凸の負メニスカスレンズＬ１１と、物体側に凸の負メニスカスレンズＬ１２（像側面が非球面）と、像側に凸の正メニスカスレンズＬ１３と、両凹の負レンズＬ１４及び両凸の正レンズＬ１５からなる負の接合レンズＬＳと、両凸の正レンズＬ１６と、で構成されている（パワー配置：負負正負正正）。第２群Ｇｒ２は、両凸の正レンズＬ２１と、両凸の正レンズＬ２２及び両凹の負レンズＬ２３からなる接合レンズと、絞りＳＴと、両凹の負レンズＬ２４及び両凸の正レンズＬ２５からなる接合レンズと、両凸の正レンズＬ２６と、像側に凸の正メニスカスレンズＬ２７（両面が非球面）と、で構成されている（パワー配置：正正負・ＳＴ・負正正正）。
【００５８】
第４の実施の形態の撮像レンズＬＮ（図４）において、各レンズ群は物体側から順に以下のように構成されている。第１群Ｇｒ１は、物体側に凸の負メニスカスレンズＬ１１と、物体側に凸の負メニスカスレンズＬ１２からなる複合型非球面レンズ（像側面が非球面）と、両凸の正レンズＬ１３と、両凹の負レンズＬ１４及び物体側に凸の正メニスカスレンズＬ１５からなる負の接合レンズＬＳと、両凸の正レンズＬ１６と、で構成されている（パワー配置：負負正負正正）。第２群Ｇｒ２は、両凸の正レンズＬ２１と、両凸の正レンズＬ２２及び両凹の負レンズＬ２３からなる接合レンズと、絞りＳＴと、両凹の負レンズＬ２４及び両凸の正レンズＬ２５からなる接合レンズと、両凸の正レンズＬ２６（両面が非球面）と、像側に凸の正メニスカスレンズＬ２７と、で構成されている（パワー配置：正正負・ＳＴ・負正正正）。
【実施例】
【００５９】
以下、本発明を実施した撮像レンズの構成等を、実施例のコンストラクションデータ等を挙げて更に具体的に説明する。ここで挙げる実施例１〜４（ＥＸ１〜４）は、前述した第１〜第４の実施の形態にそれぞれ対応する数値実施例であり、第１〜第４の実施の形態を表すレンズ構成図（図１〜図４）は、対応する実施例１〜４の光学構成をそれぞれ示している。
【００６０】
各実施例のコンストラクションデータでは、面データとして、左側の欄から順に、面番号ｉ（ＯＢ：物面，ＳＴ：絞り，ＩＭ：像面），近軸における曲率半径Ｒｉ（ｍｍ），軸上面間隔Ｄｉ（ｍｍ），ｄ線（波長：５８７．５６ｎｍ）に関する屈折率Ｎｄ，及びｄ線に関するアッベ数νｄを示す。なお、フォーカシングにより変化する可変の軸上面間隔Ｄｉ（ｉ：面番号，ｍｍ）に関しては、第１フォーカスポジションＰＯＳ１〜第２フォーカスポジションＰＯＳ２のそれぞれについて示す。
【００６１】
面番号ｉに＊が付された面は非球面であり、その面形状は面頂点を原点とするローカルな直交座標系（ｘ，ｙ，ｚ）を用いた以下の式（ＡＳ）で定義される。非球面データとして、非球面係数等を示す。なお、各実施例の非球面データにおいて表記の無い項の係数は０であり、すべてのデータに関してＥ−ｎ＝×１０-nである。
ｚ＝（ｃ・ｈ2）／［１＋√｛１−（１＋Ｋ）・ｃ2・ｈ2｝］＋Σ（Ａｊ・ｈj）  …（ＡＳ）
ただし、
ｈ：ｚ軸（光軸ＡＸ）に対して垂直な方向の高さ（ｈ2＝ｘ2＋ｙ2）、
ｚ：高さｈの位置での光軸ＡＸ方向のサグ量（面頂点基準）、
ｃ：面頂点での曲率（曲率半径Ｒｉの逆数）、
Ｋ：円錐定数、
Ａｊ：ｊ次の非球面係数、
である。
【００６２】
各種データとして、全系の焦点距離ｆ（ｍｍ），Ｆナンバー（Ｆ値）ＦＮＯ．，全画角２ω（°），最大像高ｙ’ｍａｘ（ｍｍ），レンズ全長ＴＬ（ｍｍ），バックフォーカスＢＦ（ｍｍ），条件式（５）の関連データとして部分分散比θｇｆ，第１群Ｇｒ１の焦点距離ｆ１（ｍｍ），第２群Ｇｒ２の焦点距離ｆ２（ｍｍ），第４レンズＬ４の焦点距離ｆ１４（ｍｍ），第５レンズＬ５の焦点距離ｆ１５（ｍｍ），第４，第５レンズＬ４，Ｌ５からなる接合レンズＬＳの焦点距離ｆ１ｓ（ｍｍ），及び第１群Ｇｒ１において最も像側に位置するレンズＬ１６の焦点距離ｆ１ｉを示す。ただし、バックフォーカスＢＦは、レンズ最終面から近軸像面ＩＭまでの距離を空気換算長により表記しており、レンズ全長ＴＬは、レンズ最前面からレンズ最終面までの距離にバックフォーカスＢＦを加えたものである。また、表１に各実施例の条件式対応値を示す。
【００６３】
図５〜図８は、実施例１〜実施例４（ＥＸ１〜ＥＸ４）にそれぞれ対応する縦収差図であり、（Ａ）〜（Ｃ）は第１フォーカスポジションＰＯＳ１、（Ｄ）〜（Ｆ）は第２フォーカスポジションＰＯＳ２における諸収差をそれぞれ示している。また、図５〜図８中、（Ａ）と（Ｄ）は球面収差図、（Ｂ）と（Ｅ）は非点収差図、（Ｃ）と（Ｆ）は歪曲収差図である。
【００６４】
球面収差図は、一点鎖線で示すＣ線（波長６５６．２８ｎｍ）に対する球面収差量、実線で示すｄ線（波長５８７．５６ｎｍ）に対する球面収差量、破線で示すｇ線（波長４３５．８４ｎｍ）に対する球面収差量を、それぞれ近軸像面からの光軸ＡＸ方向のズレ量（ｍｍ）で表しており、縦軸はＦ値を表している。非点収差図において、破線Ｍはｄ線に対するメリディオナル像面、実線Ｓはｄ線に対するサジタル像面を、それぞれ近軸像面からの光軸ＡＸ方向のズレ量（ｍｍ）で表しており、縦軸は像高Ｙ’（ｍｍ）を表している。歪曲収差図において、横軸はｄ線に対する歪曲（％）を表しており、縦軸は像高Ｙ’（ｍｍ）を表している。なお、像高Ｙ’は像面ＩＭにおける最大像高ｙ’ｍａｘ（撮像素子ＳＲの受光面ＳＳの対角長の半分）に相当する。
【００６５】
図９，図１１，図１３及び図１５は、第１フォーカスポジションＰＯＳ１での実施例１〜実施例４（ＥＸ１〜ＥＸ４）にそれぞれ対応する横収差図であり、図１０，図１２，図１４及び図１６は、第２フォーカスポジションＰＯＳ２での実施例１〜実施例４（ＥＸ１〜ＥＸ４）にそれぞれ対応する横収差図である。図９〜図１６では、左側の列にメリディオナルコマ収差（ｍｍ）、右側の列にサジタルコマ収差（ｍｍ）を、各像高Ｙ’（ｍｍ）についてそれぞれ示している。なお、図５〜図８と同様、一点鎖線はＣ線（波長６５６．２８ｎｍ）、実線はｄ線（波長５８７．５６ｎｍ）、破線はｇ線（波長４３５．８４ｎｍ）である。
【００６６】
実施例１
単位：mm
面データ
i           Ri(mm)     Di(mm)           Nd      νd
0(OB)           ∞         ∞ 〜105.61
1           70.017       2.50      1.68893     31.2
2           29.640      10.58
3           94.105       2.40      1.71300     53.9
4           31.773       0.05      1.51380     53.0
5*          27.197       9.49
6          164.736       4.94      1.84666     23.8
7         -131.025       4.85
8          -46.832       2.15      1.56883     56.0
9          134.737       4.17      1.88300     40.8
10        -366.912       3.03
11          70.316       7.09      1.77250     49.6
12         -99.338       7.70 〜1.42
13          55.349       4.20      1.72916     54.7
14         289.177       0.15
15         111.310       4.00      1.69680     55.5
16        -158.345       0.15
17         322.096       5.79      1.59282     68.6
18         -37.124       1.50      1.73800     32.3
19          37.221       5.60
20(ST)          ∞       5.78
21         -24.127       1.30      1.80610     33.3
22          47.257       5.35      1.83220     40.1
23*       -131.725       0.30
24          64.397       8.98      1.59282     68.6
25         -28.781       0.15
26*       -280.388       3.71      1.69350     53.2
27*        -55.502      38.47 〜44.77
28(IM)          ∞
【００６７】
非球面データ
第5面
K= -1.81201E+00
A4=  5.07910E-06
A6= -6.20262E-09
A8=  1.15776E-11
A10= -2.04179E-14
A12=  1.90900E-17
【００６８】
非球面データ
第23面
K=  0.00000E+00
A4=  3.38686E-06
A6= -1.03975E-09
A8=  5.14761E-11
A10=  1.18111E-14
A12= -1.11410E-16
【００６９】
非球面データ
第26面
K=  0.00000E+00
A4= -1.45264E-05
A6= -2.74974E-08
A8=  4.08509E-11
A10= -1.22050E-13
A12=  2.18038E-15
A14= -3.26000E-18
【００７０】
非球面データ
第27面
K=  1.61294E+00
A4= -4.86948E-06
A6= -2.36249E-08
A8=  7.19463E-11
A10= -3.12054E-13
A12=  2.11838E-15
A14= -2.42000E-18
【００７１】
各種データ
f     =    28.41
FNO.  =     1.45
2ω   =    75.42
y'max =     21.6
TL    =   144.38
BF    =    38.47
θgF  =   0.5899
f1    =   151.32
f2    =    52.75
f14   =   -60.83
f15   =   112.04
f1s   =  -137.42
f1i   =    54.29
【００７２】
実施例２
単位：mm
面データ
i           Ri(mm)     Di(mm)           Nd      νd
0(OB)           ∞         ∞ 〜107.60
1           66.672       2.50      1.68893     31.2
2           28.712       8.98
3           56.823       2.40      1.71300     53.9
4           28.412       0.05      1.51380     53.0
5*          24.516      11.59
6        -2348.135       4.07      1.84666     23.8
7          -92.947       4.37
8          -43.410       2.15      1.51742     52.2
9           80.132       4.33      1.90366     31.3
10        1085.535       1.91
11          73.043       6.88      1.78590     43.9
12         -91.416       8.54 〜2.58
13          46.311       6.62      1.69680     55.5
14        -141.275       0.15
15         194.148       6.41      1.59282     68.6
16         -35.968       1.60      1.69895     30.1
17          35.308       5.75
18(ST)          ∞       5.93
19         -23.264       1.30      1.80610     33.3
20         136.595       3.84      1.80860     40.4
21*       -106.158       0.30
22          76.607       9.38      1.59282     68.6
23         -27.879       0.15
24*      -1000.000       4.67      1.58313     59.4
25*        -47.677      38.46 〜44.47
26(IM)          ∞
【００７３】
非球面データ
第5面
K= -1.10465E+00
A4=  3.19310E-06
A6= -6.36058E-09
A8=  2.46244E-11
A10= -5.90274E-14
A12=  5.62500E-17
【００７４】
非球面データ
第21面
K=  0.00000E+00
A4=  7.43892E-06
A6= -1.81682E-09
A8=  1.12774E-10
A10= -5.38027E-13
A12=  1.58865E-15
A14= -2.11000E-18
【００７５】
非球面データ
第24面
K=  0.00000E+00
A4= -8.53923E-06
A6= -2.53210E-08
A8=  1.21664E-10
A10= -4.87477E-13
A12=  1.66812E-15
A14= -1.32000E-18
【００７６】
非球面データ
第25面
K= -2.80034E-02
A4= -2.22686E-06
A6= -1.70714E-08
A8=  4.04178E-11
A10= -7.22433E-15
A12=  1.79700E-17
A14=  8.80000E-19
【００７７】
各種データ
f     =    28.00
FNO.  =     1.45
2ω   =    76.22
y'max =     21.6
TL    =   142.33
BF    =    38.46
θgF  =   0.6028
f1    =   196.28
f2    =    51.26
f14   =   -54.10
f15   =    95.55
f1s   =  -126.94
f1i   =    52.63
【００７８】
実施例３
単位：mm
面データ
i           Ri(mm)     Di(mm)           Nd      νd
0(OB)           ∞         ∞ 〜138.17
1           84.724       2.50      1.83400     37.4
2           28.860       5.07
3           35.391       2.50      1.74320     49.3
4*          23.788      14.14
5         -106.146       3.20      1.90366     31.3
6          -68.380       3.84
7          -40.703       2.15      1.51680     64.2
8          630.888       4.10      1.84666     23.8
9         -145.820       0.20
10          78.882       7.80      1.83481     42.7
11        -108.522       6.87 〜1.92
12          47.354       7.71      1.72916     54.7
13        -130.704       0.15
14         218.659       6.50      1.59282     68.6
15         -39.980       1.76      1.69895     30.1
16          41.230       7.32
17(ST)          ∞       6.54
18         -24.171       1.30      1.80610     33.3
19          73.665       4.76      1.61800     63.4
20         -88.480       1.00
21          58.034       9.29      1.59282     68.6
22         -35.531       0.15
23*       -591.406       4.54      1.74320     49.3
24*        -51.826      38.45 〜43.39
25(IM)          ∞
【００７９】
非球面データ
第4面
K= -2.11415E-01
A4= -3.13492E-06
A6= -6.95430E-09
A8=  7.46840E-12
A10= -2.12227E-14
【００８０】
非球面データ
第23面
K=  0.00000E+00
A4= -1.26144E-05
A6= -8.93725E-09
A8= -6.31579E-11
A10=  2.26171E-13
A12= -1.83200E-16
【００８１】
非球面データ
第24面
K=  1.10874E+00
A4= -2.22064E-06
A6= -8.29680E-09
A8= -3.55044E-11
A10=  1.88045E-13
A12= -2.13667E-16
A14=  6.33384E-20
【００８２】
各種データ
f     =    28.00
FNO.  =     1.45
2ω   =    76.22
y'max =     21.6
TL    =   141.84
BF    =    38.45
θgF  =   0.6028
f1    =   447.46
f2    =    52.10
f14   =   -73.91
f15   =   140.23
f1s   =  -164.01
f1i   =    55.77
【００８３】
実施例４
単位：mm
面データ
i           Ri(mm)     Di(mm)           Nd      νd
0(OB)           ∞         ∞ 〜97.87
1           58.571       2.60      1.80610     33.3
2           29.732       6.90
3           43.559       2.50      1.70154     41.2
4           26.564       0.05      1.51380     53.0
5*          22.956      11.38
6          449.499       4.01      1.84666     23.8
7         -123.672       4.69
8          -44.185       2.15      1.51680     64.2
9           61.803       4.61      1.90366     31.3
10         175.163       4.25
11          69.416       6.61      1.78590     43.9
12         -91.544       7.59 〜1.19
13          45.255       6.73      1.69680     55.5
14        -130.769       0.15
15         155.733       6.06      1.59282     68.6
16         -37.096       1.75      1.69895     30.1
17          40.187       4.30
18(ST)          ∞       6.19
19         -23.672       1.30      1.80610     33.3
20          42.685       5.54      1.59282     68.6
21         -86.448       0.35
22*         74.406       7.03      1.74320     49.3
23*        -40.669       0.15
24         -75.737       6.50      1.69680     55.5
25         -30.960      38.44 〜45.15
26(IM)          ∞
【００８４】
非球面データ
第5面
K= -1.12166E+00
A4=  4.89075E-06
A6= -3.96587E-09
A8=  2.47445E-11
A10= -6.08112E-14
A12=  7.08946E-17
【００８５】
非球面データ
第22面
K=  0.00000E+00
A4= -5.15675E-06
A6=  9.03138E-09
A8= -1.69741E-11
A10=  9.37387E-16
【００８６】
非球面データ
第23面
K= -1.38896E+00
A4=  6.15995E-06
A6= -1.84291E-09
A8=  7.07932E-11
A10= -4.62572E-13
A12=  1.30408E-15
A14= -1.47433E-18
【００８７】
各種データ
f     =    28.50
FNO.  =     1.45
2ω   =    75.22
y'max =     21.6
TL    =   141.83
BF    =    38.44
θgF  =   0.6028
f1    =   249.48
f2    =    50.72
f14   =   -49.48
f15   =   103.55
f1s   =   -93.94
f1i   =    51.11
【００８８】
【表１】
0006752636.tif 000002
【符号の説明】
【００８９】
ＤＵ    デジタル機器
ＬＵ    撮像光学装置
ＬＮ    撮像レンズ
Ｇｒ１    第１群
Ｇｒ２    第２群
Ｌ１＃    第１群において物体側から＃番目のレンズ（＃＝１，２，…，６；第１〜第６レンズ）
Ｌ２＃    第２群において物体側から＃番目のレンズ（＃＝１，２，…，８）
ＬＳ    接合レンズ
ＳＴ    絞り
ＳＲ    撮像素子
ＳＳ    受光面（撮像面）
ＩＭ    像面（光学像）
ＡＸ    光軸
１    信号処理部
２    制御部
３    メモリー
４    操作部
５    表示部
【図１】
0006752636.tif 000003
【図２】
0006752636.tif 000004
【図３】
0006752636.tif 000005
【図４】
0006752636.tif 000006
【図５】
0006752636.tif 000007
【図６】
0006752636.tif 000008
【図７】
0006752636.tif 000009
【図８】
0006752636.tif 000010
【図９】
0006752636.tif 000011
【図１０】
0006752636.tif 000012
【図１１】
0006752636.tif 000013
【図１２】
0006752636.tif 000014
【図１３】
0006752636.tif 000015
【図１４】
0006752636.tif 000016
【図１５】
0006752636.tif 000017
【図１６】
0006752636.tif 000018
【図１７】
0006752636.tif 000019